(57)【特許請求の範囲】
【請求項１】
被取付面に取り付けられる器具本体と、前記器具本体に装着される発光ユニットとを備えたＬＥＤ照明装置であって、
前記発光ユニットは、ＬＥＤ素子が実装されたＬＥＤ基板と、前記ＬＥＤ素子を点灯させる電源回路とを配設した放熱板と、前記放熱板を覆う透光性カバーを有し、
前記発光ユニットは、バネ受けに復元力により係合するバネにより前記器具本体に取り付けられ、前記バネは、Ｖ字バネ固定部品に固定されたＶ字バネから成り、前記発光ユニットは前記Ｖ字バネ固定部品により位置決めされながら前記器具本体に着脱自在に取り付けられていることを特徴とするＬＥＤ照明装置。
【請求項２】
被取付面に取り付けられる器具本体と、前記器具本体に装着される発光ユニットとを備えたＬＥＤ照明装置であって、
前記発光ユニットは、ＬＥＤ素子が実装されたＬＥＤ基板と、前記ＬＥＤ素子を点灯させる電源回路とを配設した放熱板と、前記放熱板を覆う透光性カバーを有し、
前記発光ユニットは、バネ受けに復元力により係合するバネにより前記器具本体に着脱自在に取り付けられ、前記バネは、相対向して配置された複数のコイルバネ部と、前記コイルバネ部から延出してフレーム状に成形されたフレーム部とから成っていることを特徴とする照明装置。
【請求項３】
請求項２に記載されたＬＥＤ照明装置であって、前記バネの前記フレーム部は、前記コイルバネ部が設置されている面に向けて付勢され、前記付勢力に抗してバネ受けに挿入されて前記バネ受けを引き寄せることを特徴とするＬＥＤ照明装置。
【請求項４】
請求項２又は請求項３のいずれかに記載されたＬＥＤ照明装置であって、前記フレーム部は、前記コイルバネ部から延びる略コの字状の形状を有することを特徴とするＬＥＤ照明装置。
【請求項５】
請求項２乃至請求項４のいずれかに記載されたＬＥＤ照明装置であって、前記フレーム部は、一部に屈曲部を有することを特徴とするＬＥＤ照明装置。
【請求項６】
請求項１乃至請求項５のいずれかに記載されたＬＥＤ照明装置であって、前記放熱板は位置調整部品を有し、前記発光ユニットは、前記位置調整部品により位置決めされながら前記器具本体に装着されていることを特徴とするＬＥＤ照明装置。
【請求項７】
請求項１乃至請求項６のいずれかに記載されたＬＥＤ照明装置であって、前記透光性カバーは、前記透光性カバーの弾性変形力により前記放熱板を挟み込むことによって前記放熱板に固定されていることを特徴とするＬＥＤ照明装置。
【請求項８】
請求項１乃至請求項７のいずれかに記載されたＬＥＤ照明装置であって、前記発光ユニットの前記ＬＥＤ素子と前記透光性カバーとの間の間隔を調整することにより、前記透光性カバーにおける光の出射の分布が調整されていることを特徴とするＬＥＤ照明装置。
【請求項９】
請求項８に記載されたＬＥＤ照明装置であって、前記発光ユニットの前記ＬＥＤ素子と前記透光性カバーとの間の間隔が、３２ｍｍに設定されていることを特徴とするＬＥＤ照明装置。
【発明の詳細な説明】
【技術分野】
【０００１】
本発明は、天井面等に直接取り付けられるＬＥＤ照明装置の改良に関し、特に発光ユニットを器具本体に、円滑に、かつ、適切に装着することに関するものである。
【背景技術】
【０００２】
近年、環境意識の高まりから、省電力化に優れたＬＥＤ素子を光源に使用した、電源内蔵型の電球型ＬＥＤランプが普及してきた。更に最近は、天井埋め込み型のダウンライトや、天井直付け型のシーリングライトにおいても、ＬＥＤ素子を使用した照明装置が開発され、市場に導入されてきている。
【０００３】
このようなＬＥＤ照明装置は、一般に、天井面等の被取付面に取り付けられ電源等を内蔵する器具本体と、この器具本体に装着される発光ユニットとを備え、発光ユニットの長手方向の端部等に設けられたＶ字状バネを、その付勢力に抗して指で間隔を狭めて器具本体に形成されたバネ受けに挿入して復元力によりバネ受けに係合させることにより、発光ユニットを器具本体に装着していた（例えば、特許文献１、２等参照）。
【０００４】
しかし、これらの従来技術のように、単にＶ字状バネを使用すると、指でバネの付勢力に抗してバネの間隔を狭めるのに多大な力を要すると共に、指に力を入れて適切に狭められた間隔を維持しつつ、Ｖ字状バネの先端を本体に設けられたバネ受け内に挿入しなければならないため、簡易にかつ迅速に位置決めをすることが困難であり、発光ユニットの装着作業に手間と時間を要する問題があった。
【０００５】
また、このようなＶ字状バネを、特に発光ユニットの長手方向の両側面に相対向して複数設けた場合には、それだけ作業箇所、ひいては、作業工程数が増大し、作業性を益々低下させる問題も生じさせていた。更には、その結果、いったん発光ユニットを器具本体に取り付けた後は、発光ユニットの器具本体からの取り外しが、作業の困難性から、実質的に不可能であり、発光ユニットが故障した場合の交換や、メンテナンス作業が行えない問題も生じていた。
【先行技術文献】
【特許文献】
【０００６】
【特許文献１】特許第３５３８９６４号公報
【特許文献２】特許第４０７８４９１号公報
【発明の概要】
【発明が解決しようとする課題】
【０００７】
本発明が解決しようとする課題は、上記の問題点に鑑み、少ない工程数及び簡易な作業で、適切に位置決めしつつ、円滑にかつ的確に発光ユニットを器具本体に装着することができると同時に、発光ユニットの交換やメンテナンスを簡易に行うことができるＬＥＤ照明装置を提供することにある。
【課題を解決するための手段】
【０００８】
本発明は、上記の課題を解決するために、発光ユニットの器具本体への着脱構造を改善して、発光ユニットを簡易に器具本体に着脱することを可能としたものである。
【０００９】
具体的には、本発明は、上記の課題を解決するための第１の手段として、被取付面に取り付けられる器具本体と、この器具本体に装着される発光ユニットとを備えたＬＥＤ照明装置であって、発光ユニットは、ＬＥＤ素子が実装されたＬＥＤ基板と、ＬＥＤ素子を点灯させる電源回路とを配設した放熱板と、この放熱板を覆う透光性カバーを有し、発光ユニットは、バネ受けに復元力により係合するバネにより器具本体に取り付けられ、バネは、Ｖ字バネ固定部品に固定されたＶ字バネから成り、発光ユニットはＶ字バネ固定部品により位置決めされながら器具本体に着脱自在に取り付けられていることを特徴とするＬＥＤ照明装置を提供するものである。
【００１０】
本発明は、上記の課題を解決するための第２の手段として、被取付面に取り付けられる器具本体と、この器具本体に装着される発光ユニットとを備えたＬＥＤ照明装置であって、発光ユニットは、ＬＥＤ素子が実装されたＬＥＤ基板と、ＬＥＤ素子を点灯させる電源回路とを配設した放熱板と、この放熱板を覆う透光性カバーを有し、発光ユニットは、バネ受けに復元力により係合するバネにより器具本体に着脱自在に取り付けられ、バネは、相対向して配置された複数のコイルバネ部と、このコイルバネ部から延出してフレーム状に成形されたフレーム部とから成っていることを特徴とする照明装置を提供するものである。
【００１１】
本発明は、上記の課題を解決するための第３の手段として、上記第２の解決手段において、バネのフレーム部は、コイルバネ部が設置されている面に向けて付勢され、付勢力に抗してバネ受けに挿入されてバネ受けを引き寄せることを特徴とするＬＥＤ照明装置を提供するものである。
【００１２】
本発明は、上記の課題を解決するための第４の手段として、上記第２又は第３のいずれかの解決手段において、フレーム部は、コイルバネ部から延びる略コの字状の形状を有することを特徴とするＬＥＤ照明装置を提供するものである。
【００１３】
本発明は、上記の課題を解決するための第５の手段として、上記第２乃至第４のいずれかの解決手段において、フレーム部は、一部に屈曲部を有することを特徴とするＬＥＤ照明装置を提供するものである。
【００１４】
本発明は、上記の課題を解決するための第６の手段として、上記第１乃至第５のいずれかの解決手段において、放熱板は位置調整部品を有し、発光ユニットは、位置調整部品により位置決めされながら器具本体に装着されていることを特徴とするＬＥＤ照明装置を提供するものである。
【００１５】
本発明は、上記の課題を解決するための第７の手段として、上記第１乃至第６のいずれかの解決手段において、透光性カバーは、透光性カバーの弾性変形力により放熱板を挟み込むことによって放熱板に固定されていることを特徴とするＬＥＤ照明装置を提供するものである。
【００１６】
本発明は、上記の課題を解決するための第８の手段として、上記第１乃至第７いずれかの解決手段において、発光ユニットのＬＥＤ素子と透光性カバーとの間の間隔を調整することにより、透光性カバーにおける光の出射の分布が調整されていることを特徴とするＬＥＤ照明装置を提供するものである。
【００１７】
本発明は、上記の課題を解決するための第９の手段として、上記第８のいずれかの解決手段において、発光ユニットのＬＥＤ素子と透光性カバーとの間の間隔が、３２ｍｍに設定されていることを特徴とするＬＥＤ照明装置を提供するものである。
【発明の効果】
【００１８】
本発明によれば、上記のように、発光ユニットは、器具本体に着脱自在に取り付けられているため、発光ユニットの交換やメンテナンスを簡易に行うことができる実益がある。
【００１９】
この場合、特に、本発明によれば、上記のように、発光ユニットは、放熱板に設けられた位置調整部品により位置決めされながら器具本体に装着されているため、適切に位置決めしつつ、円滑にかつ的確に発光ユニットを器具本体に装着することができる実益がある。
【００２０】
また、本発明によれば、上記のように、透光性カバーを、透光性カバーの弾性変形力により放熱板に固定しているため、放熱板に挿入するだけで、簡単に、かつ、安定的に放熱板に装着して固定することができる実益がある。
【００２１】
更に、本発明によれば、上記のように、発光ユニットのＬＥＤ素子と透光性カバーとの間の間隔を適正な値に調整することにより、透光性カバーにおける光の出射の分布が調整されているため、ＬＥＤ素子からの光が透光性カバーに到達する前に拡散するので、透光性カバーにおいてＬＥＤ素子のグレアを解消した光の射出が可能となり、光を均一に照射することができる実益がある。
【００２２】
加えて、本発明によれば、上記のように、発光ユニットは、Ｖ字バネ固定部品により位置決めされながらＶ字バネにより器具本体に装着されているため、適切に位置決めしつつ、円滑にかつ的確に発光ユニットを器具本体に装着することができる実益がある。
【００２３】
同様に、本発明によれば、上記のように、発光ユニットを器具本体に装着するためのバネを、相対向して配置された複数のコイルバネ部と、このコイルバネ部から延出してフレーム状に成形されたフレーム部とから形成しているため、作業者が、例えば、１本の指等でこのフレーム部を持ち上げる等するだけで、バネ受けに係合することができ、発光ユニットの装着作業を容易とすることができる実益がある。
【００２４】
この場合、特に、本発明によれば、上記のように、バネのフレーム部は、一部に屈曲部を有するため、自由状態において設置面からフレーム部の一部が盛り上がるようにして配置されるため、作業のための指等をフレーム部に挿入しやすく、装着作業がより一層簡易となる実益がある。
【図面の簡単な説明】
【００２５】
【図１】本発明のＬＥＤ照明装置の外観斜視図である。
【図２】本発明のＬＥＤ照明装置の分解斜視図である。
【図３】本発明のＬＥＤ照明装置の縦断面図である。
【図４】本発明に用いられるＶ字バネによる位置決め状態を示す斜視図である。
【図５】本発明に用いられるＶ字バネの斜視図である。
【図６】本発明に用いられる位置調整部を備えた放熱板の斜視図である。
【図７】本発明のＬＥＤ照明装置の連結部分の拡大斜視図である。
【図８】本発明に用いられる他の実施の形態のバネによる位置決め状態を示す斜視図である。
【図９】本発明に用いられる他の実施の形態におけるバネ及びバネ受けの斜視図である。
【発明を実施するための形態】
【００２６】
以下に本発明の好適な実施の形態について、図面を参照しながら詳細に説明する。なお本実施形態は一例であり、これに限定されるものではない。
【００２７】
図１乃至図４は、本発明のＬＥＤ照明装置１００を示し、このＬＥＤ照明装置１００は、図１乃至図４に示すように、被取付面である天井面８に取り付けられる器具本体１と、この器具本体１に装着される発光ユニット２とを備えた照明器具１０から成っている。このＬＥＤ照明装置１００は、図１乃至図４に示すように、天井面８から出ている吊りボルト６に器具本体１が下方に開口してナット７で止められ、器具本体１に発光ユニット２が開放側から着脱自在に装着される。器具本体１に、外部電源線（Ｆケーブル）５が接続され、ＬＥＤ照明装置１００はコーニス照明として使用可能となる。
【００２８】
（１．器具本体）  
器具本体１は、ステンレス板を使用して、打抜加工、プレス加工、折曲加工によって作成されて、塗装されている。図１乃至図３に示すように、器具本体１は直方体で一方が開口された形状で、中心部に円形の電源用孔１３が開口し、電源用孔１３と器具本体１の両端部の間に取付け孔１４が２ヶ所形成されている。また、器具本体１の開放側反対面の天井面８に接する面に、複数の凸部を設けて天井面８の凹凸を吸収する構造となっている。
【００２９】
この器具本体１は、図１乃至図３に示すように、天井面８から出ている吊りボルト６に取付け孔１４を挿入して、ナット７により天井面８に仮止めされる。さらに、天井面８から出ている外部電源線５を器具本体１の電源用孔１３を通して器具本体１の内側に引き込んで、器具本体１の送り端子付速結端子１１に挿入して接続される。その後、吊りボルト６のナット７を締めることにより、位置決めされた状態で器具本体１を天井面８に固定することができる。なお、器具本体１の内部側壁には、図３に示すように、発光ユニット２を開口側で装着させるためのＶ字バネ３０を挟持する一対のバネ受け１２が２組設けられている。
【００３０】
また、器具本体１には、特に図７に示すように、後述する連結治具４の係止部４３、４４が挿入される嵌合孔１５が形成されている。この嵌合孔１５は、図７に示すように、器具本体１の上面において器具本体１の長手方向に延びる一対の長方形状に形成されている。また、嵌合孔１５は、図７に示すように、隣り合う他の照明器具１０の端面又は側面付近に位置する器具本体１の長手方向における両端部に設けられている。複数の器具本体１は、連結する複数の器具本体１の嵌合孔１５に、連結治具４を挿入することにより、相互に適正な位置に位置決めして連結することができる。
【００３１】
（２．発光ユニット）
発光ユニット２は、図２及び図３に示すように、複数のＬＥＤ素子２６が実装されたＬＥＤ基板２４と、ＬＥＤ素子２６を点灯させる電源回路２８とを配設した放熱板２３と、この放熱板２３を覆う透光性カバー２１とを有している。より具体的には、発光ユニット２は、図２及び図３に示すように、光源であるＬＥＤ素子２６が搭載されている略長方形状であるＬＥＤ基板２４の裏面を放熱板２３の下方に設置し、放熱板２３の上方にＬＥＤ素子２６用の電源回路２８を設置する。ＬＥＤ基板２４と放熱板２３を覆うように配置された透光性カバー２１により発光ユニット２として一体化される。
【００３２】
この発光ユニットは、図２乃至図５に示すように、バネ受け１２に復元力により係合するバネにより器具本体１に取り付けられる。このバネは、具体的には、図２乃至図５に示す実施の形態においては、Ｖ字バネ固定部品３１に固定されたＶ字バネ３０から成っている。これらの器具本体１と装着するためのＶ字バネ３０とＶ字バネ固定部品３１は、透光性カバー２１の上面に配設されている。この発光ユニット２は、このＶ字バネ３０により、器具本体１に着脱自在に取り付けられている。
【００３３】
この発光ユニット２は、このＶ字バネ固定部品３１により位置決めされながら器具本体１に装着される。具体的には、このＶ字バネ３０は、図３乃至図５に示すように、放熱板２３に固定されているＶ字バネ固定部品３１に取付けられている。器具本体１と発光ユニット２を固定するときには、器具本体１の長辺開口部端面１ａと、発光ユニット２におけるＶ字バネ固定部品３１の外側面３１ａが接することにより、発光ユニット２の短手方向の位置決めを行いながら固定する。発光ユニット２を円滑に器具本体１に装着できるように、Ｖ字バネ固定部品３１の外側面３１ａは、上方が内側に傾斜している形状になっている。これにより器具本体１と発光ユニット２の短手方向が、正確に位置決めすることができ、均一に光を照射することができる。
【００３４】
ＬＥＤ基板２４は、片面に銅箔が貼られたガラスコンポジット基板（ＣＥＭ−３）から成り、片側にＬＥＤ素子２６と電子部品とが実装されている。放熱板２３は、アルミを使用して、押出成形による一体成形で作成されている。器具本体１の送り端子付速結端子１１から、電源線を電源回路２８に結線し、電源回路２８の出力をＬＥＤ基板２４に結線することにより、ＬＥＤ照明装置１００を構成する。
【００３５】
（２．−１  ＬＥＤ基板）
ＬＥＤ基板２４は、図２に示すように、複数のＬＥＤ基板単体２４ａ、２４ｂを組み合わせて成っている。より具体的には、ＬＥＤ基板２４は、図２に示すように、長方形の形状である第１のＬＥＤ基板単体２４ａと、第２のＬＥＤ基板単体２４ｂとから成り、この第１のＬＥＤ基板単体２４ａと第２のＬＥＤ基板単体２４ｂとが長手方向に連続して配置されるように、両者の端面同士を対向させて配置されている。
【００３６】
この場合、第１のＬＥＤ基板単体２４ａと、第２のＬＥＤ基板単体２４ｂは、図２に示すように、同一の形状を有し、これを１８０°転回して対称に配置して、ＬＥＤ基板２４を構成している。このように、同一の形状のＬＥＤ基板単体２４ａ、２４ｂを使用することにより、単一の形状のＬＥＤ基板単体２４ａ、２４ｂのみを用意して、単にこれを組み合わせれば足りるため、ＬＥＤ基板単体２４ａ、２４ｂの製造コストを低減することができる。
【００３７】
また、これらのＬＥＤ基板単体２４ａ、２４ｂには、図２に示すように、端面の一部を切り欠いて形成されたＬＥＤ基板の凹部２４ｃ、２４ｄが形成されている。より具体的には、図２に示すように、ＬＥＤ基板単体２４ａ、２４ｂの一方の端面の中央部分に略半円形状に形成されたＬＥＤ基板の凹部２４ｃ、２４ｄが設けられている。
【００３８】
複数のＬＥＤ基板単体２４ａ、２４ｂは、図２に示すように、隣り合うＬＥＤ基板単体２４ａ、２４ｂとの間で、このＬＥＤ基板の凹部２４ｃ、２４ｄ同士を対向して配置されることにより、隣り合うＬＥＤ基板単体２４ａ、２４ｂとの間で、これらのＬＥＤ基板の凹部２４ｃ、２４ｄから成る配線貫通孔を形成する。電源回路２８から直流電力をＬＥＤ基板２４に供給するための電線は、この配線貫通孔を通じて配線される。なお、このように、複数のＬＥＤ基板単体２４ａ、２４ｂ間で、ＬＥＤ基板の凹部２４ｃ、２４ｄにより配線貫通孔を形成する場合においても、同一の形状を有するＬＥＤ基板単体２４ａ、２４ｂを１８０°転回して対称に配置するだけで対応することができる。
【００３９】
また、各ＬＥＤ基板単体２４ａ、２４ｂのＬＥＤ基板の凹部２４ｃ、２４ｄの両側には、電源回路２８からの電線を各ＬＥＤ基板単体２４ａ、２４ｂに固定するためのＬＥＤ基板端子が設けられている。
【００４０】
これらの各ＬＥＤ基板単体２４ａ、２４ｂに実装された複数のＬＥＤ素子２６間の間隔と、隣り合うＬＥＤ基板単体２４ａ、２４ｂのＬＥＤ素子２６間の間隔が略等しく形成されている。このため、図２に示すように、複数のＬＥＤ基板単体２４ａ、２４ｂを連続して配置しても、全てのＬＥＤ基板単体２４ａ、２４ｂ間でＬＥＤ素子２６が均等に配置され、ＬＥＤ基板単体２４ａ、２４ｂ間の区切りを意識させない程度に連続して発光させて、光を均一に照射することができる。
【００４１】
この場合、ＬＥＤ基板単体２４ａ、２４ｂは、各ＬＥＤ基板単体２４ａ、２４ｂにおける複数のＬＥＤ素子２６間の間隔ｂを、他のＬＥＤ基板単体２４ａ、２４ｂと対向する端面から最も近いＬＥＤ素子２６までの間隔ａよりも大きく形成することにより、隣り合うＬＥＤ基板単体２４ａ、２４ｂのＬＥＤ素子２６間の間隔を略等しく形成することができる。
【００４２】
具体的には、ＬＥＤ基板２４に実装されているＬＥＤ素子２６は、図示の実施の形態では、図３に示すように、ＬＥＤ基板２４の長手方向に４列で整列して配置されており、各ＬＥＤ基板単体２４ａ、２４ｂの他のＬＥＤ基板単体２４ａ、２４ｂと対向する端面から最も近い列のＬＥＤ素子２６ｃまでの間隔ａより、各ＬＥＤ基板単体２４ａ、２４ｂにおける複数のＬＥＤ素子２６ｄ間の間隔ｂの方が大きく設定されている（ａ＜ｂ）。
【００４３】
このように、ａ＜ｂとする場合において、他のＬＥＤ基板単体２４ａ、２４ｂと対向する端面から最も近いＬＥＤ素子２６までの間隔ａを、各ＬＥＤ基板単体２４ａ、２４ｂにおける複数のＬＥＤ素子２６間の間隔ｂの１／２となるように設定して、それぞれの列のＬＥＤ素子２６間を略等間隔とするのが、望ましいということができる。これにより、複数のＬＥＤ基板単体２４ａ、２４ｂを連続して配置しても、全てのＬＥＤ基板単体２４ａ、２４ｂ間でＬＥＤ素子２６が均等に配置され、ＬＥＤ基板単体２４ａ、２４ｂ間の区切りを意識させない程度に連続して発光して、透光性カバー２１が均一な明るさとなり、更に、本発明のＬＥＤ照明装置１００を、複数連結して使用する場合においても、各ＬＥＤ照明装置１００間において、同様の効果を得ることが可能となる。なお、複数のＬＥＤ基板単体２４ａ、２４ｂ間に若干の間隙を形成する場合には、それをも考慮して、ＬＥＤ素子２６の配列を設定する。
【００４４】
なお、ＬＥＤ基板２４のうち、ＬＥＤ素子２６の実装面側に、高反射シートを貼合することや、高反射用樹脂を塗布することにより、光取り出し効率を向上させることができる。また、このＬＥＤ基板２４に実装されるＬＥＤ素子２６としては、公知の種々のＬＥＤ素子や、有機ＥＬ素子等を用いることができる。図示の実施の形態では、照明用の白色光を発光する高輝度タイプのＬＥＤ素子が用いられている。
【００４５】
（２．−２  ＬＥＤ基板配線）
ＬＥＤ基板２４には、複数のＬＥＤ素子２６が実装されて、各ＬＥＤ素子２６を光らせるための配線がされている。この場合、ＬＥＤ基板２４に実装されたＬＥＤ素子２６の２つの端子に接続される基板配線の面積が、第１の端子に接続される第１の基板配線と第２の端子に接続される第２の基板配線とで異なるように設定する。
【００４６】
これは、ＬＥＤ素子２６は光出射するときに、発熱するために放熱を行う必要が生じるため、基板配線の配線面積を大きくして、少しでも多くの放熱を行う必要がある。この場合、端子からの放熱量は、ＬＥＤ素子２６の端子配線面積により変わってくるので、実装するＬＥＤ素子２６の仕様に合わせて端子配線面積を変えて放熱量を最適にすることにより、ＬＥＤ素子２６の効率を改善するためである。これにより、各端子毎に適した基板配線の面積を確保することにより、各ＬＥＤ素子２６の性能に応じた放熱量を確保して、発光効率の低下を抑制して、複数のＬＥＤ素子２６間やＬＥＤ基板単体２４ａ、２４ｂ間で、光の均一な照射を確保することができる。従って、この基板配線の面積は、実装されるＬＥＤ素子２６毎に、性能に応じて設定する。
【００４７】
（２．−３  放熱板）
放熱板２３は、アルミニウムの押出成形によって一体に成形されている。このため、プレス加工等する場合に比べて、容易な作業で、複雑な形状に成形することができる。
【００４８】
本発明においては、特に図３に示すように、この放熱板２３の上方に電源回路２８が、下方にＬＥＤ基板２４が固定されて、放熱を行える構造となっている。この場合、電源回路２８は、図３に示すように、放熱板２３との間に空間を設けて、放熱板２３に配設されている。より具体的には、図３に示すように、放熱板２３の短手方向(幅方向)の中央部において、ＬＥＤ基板２４を固定する基板部２３ａの上方に間隔を隔てて電源回路２８を搭載する電源台２３ｂが設けられている。これにより、電源台２３ｂの下方と基板部２３ａの間には、十分な放熱効果を得るために、空間が設けられた構造となっている。この放熱板２３の構造により、電源回路２８や放熱板２３は、この空間にも放熱して放熱効率を高めることができ、放熱板２３に搭載されているＬＥＤ基板２４と電源回路２８は、十分な放熱効果を発揮することができ、電源回路２８と放熱板２３との間で熱がこもって発光効率が低下するのを防止することができる。
【００４９】
また、その空間を設けるための放熱板２３の構造を利用して、図３に示すように、放熱板２３の下方にＬＥＤ基板２４を第１のネジ２９ａにより固定するために、ＬＥＤ基板２４の固定孔に合わせて放熱板２３にネジ２９を挿入する第１の溝部２３ｄが設けられている。この第１の溝部２３ｄは、アルミニウムにより一体に成形されているので、ステンレス製の第１のネジ２９ａを用いることにより、予め又は新たにネジ溝を設けることなく、第１のネジ２９ａを圧入することで、放熱板２３にネジ溝を形成しながらＬＥＤ基板２４を放熱板２３に固定している。これにより、この第１の溝部２３ｄに第１のネジ２９ａを回し込みながら圧入していくだけで同時にネジ溝も形成されていくため、放熱板２３に予め又は設置時に新たにネジ溝を形成しておくことなく、ＬＥＤ基板２４を放熱板２３に固定することができ、簡易な構造で、製造のコストと手間を削減することができる。
【００５０】
更に、この放熱板２３は、特に図６に示すように、位置調整部品３５を有し、発光ユニット２は、この位置調整部品３５により位置決めされながら器具本体１に装着されている。より具体的には、図６に示すように、器具本体１と発光ユニット２を固定するときに用いる、長さ方向の位置決めを行うＬ字形状の位置調整部品３５が、放熱板２３の長さ方向両端面で、ステンレス製等の第２のネジ２９ｂを第２の溝部２３ｅにねじ込んで取り付けられている。この第２の溝部２３ｅは、アルミニウムにより一体で作成されているので、ステンレス製等の第２のネジ２９ｂを用いることにより、予め又は新たにネジ溝を設けることなく、第２のネジ２９ｂをねじ込むことで、放熱板２３にネジ溝を形成しながら位置調整部品３５を放熱板２３に固定している。これにより、部品コストと工数の低減を図ることができる。そして、この位置調整部品３５が、器具本体１の短辺開口部端面１ｂと接することにより、発光ユニット２の長さ方向の位置決めを行いながら固定する。これにより器具本体１と発光ユニット２の長さ方向が、正確に位置決めすることができ、均一に光を照射することができる。
【００５１】
さらに、放熱板２３の上部には、図３に示すように、透光性カバー２１の端部が挿入されるカバー挿入部２３ｃが設けられ、このカバー挿入部２３ｃを介して、透光性カバー２１を放熱板２３に取り付けることにより、透光性カバー２１によって放熱板２３を覆い、発光ユニット２を構成している。
【００５２】
（２．−４  透光性カバー）
透光性カバー２１は、図２及び図３に示すように、ポリカーボネートを使用して、断面が略ロ字形状に押出成形によって一体に成形されている。このため、プレス加工等する場合に比べて、容易な作業で、複雑な形状に成形することができる。
【００５３】
この透光性カバー２１は、その上部を、図３に示すように、下方にＬＥＤ基板２４を配設した放熱板２３のカバー挿入部２３ｃに挿入することにより、器具本体１に装着される。この場合、透光性カバー２１は、その弾性変形力により放熱板２３に固定される。即ち、透光性カバー２１は、自由状態において、若干、内側へ撓むようにして形成され、放熱板挿入部を拡張しながら、カバー挿入部２３ｃに挿入されることにより、弾性変形による復元力によって、放熱板２３を挟み込むことができる。このため、透光性カバー２１を放熱板２３に挿入するだけで、簡単に、かつ、安定的に放熱板２３に装着して固定することができる。
【００５４】
また、この透光性カバー２１の端部を、図２に示すように、端部透光性カバー２２で覆うことにより、透光性カバー２１で反射された光が拡散反射され、これが繰り返されて、端部透光性カバー２２まで光が達する。これによって、透光性カバー２１と端部透光性カバー２２の全面を光らせることができ、光源として均一に光を照射することができる。
【００５５】
また、透光性カバーの両端部に設置される端部透光性カバー２２の厚さは、透光性カバーの両端部と接する部分を、他の部分より薄くしていることにより、透光性カバー２１と端部透光性カバー２２の全面において、ＬＥＤ素子２６からの光を均一に照射することが可能となっている。
【００５６】
本発明においては、この光ユニット２のＬＥＤ素子２６と透光性カバ２１ーとの間の間隔を調整することにより、透光性カバーにおける光の出射の分布が調整されている。具体的には、発光ユニット２のＬＥＤ基板２４に搭載されているＬＥＤ素子２６と、透光性カバー２１の下面側までの距離は、ＬＥＤ基板２４に搭載される各列のＬＥＤ素子間の距離よりも大きく設定されている。
【００５７】
これにより、ＬＥＤ素子２６からの光が透光性カバー２１に到達する前に広がるので、透光性カバー２１にてＬＥＤ素子２６のグレアを解消した光の射出が可能となる。図示の実施の形態では、具体的には、発光ユニット２のＬＥＤ素子２６と透光性カバー２１の間隔を３２ｍｍに設定することにより、対応することができ、これにより、透光性カバー２１と端部透光性カバー２２の全面において、ＬＥＤ素子２６からの光を均一に照射することが可能となっている。
【００５８】
（３．連結治具）
本発明の照明装置１００を複数連結して使用する場合においては、図７に示すように、複数の照明装置１００に跨って取り付けられて、これらの複数の照明器具１０を相互に連結させる連結治具４を使用することができる。
【００５９】
この連結治具４は、図１及び図７に示すように、複数の器具本体１に跨る治具本体４１、４２と、この治具本体４１、４２から器具本体１側へ向けて延びる係止部４３、４４とから成り、図７に示すように、この係止部４３、４４が器具本体１に設けられた嵌合孔１５に挿入されて複数の照明器具１０を相互に連結させる。この連結治具４は、具体的には、例えば、ステンレス板を、打抜加工、プレス加工、折曲加工等することにより形成することができ、図１及び図７に示すように、嵌合孔１５に対応する位置及び形状に係止部４３、４４が形成される。
【００６０】
この連結治具４としては、相互に連結する照明器具１０の形態によって、複数の実施の形態が考えられる。具体的には、第１の形態として、図６（Ａ）〜（Ｃ）に示すように、複数の器具本体１を、器具本体１の長手方向における端面同士を対向させて配置する直列接続パターンを挙げることができる。この第１の形態である直列接続パターンにおいては、連結治具４は、図７（Ａ）〜（Ｃ）に示すように、隣り合う２つの器具本体１を長手方向における端面同士を対向させて配置した場合における各々の嵌合孔１５の位置及び形状に対応して、長方形状に形成された治具本体４１において、長辺側の短辺寄りの両端から略コの字状に延出するようにして形成された４つの係止部４３を有する。
【００６１】
また、第２の形態として、図７（Ｄ）に示すように、一方の器具本体１の長手方向における端面と他方の器具本体１の長手方向における側面とを対向させて配置する、コーナー接続パターンを挙げることができる。この第２の形態であるコーナー接続パターンにおいては、連結治具４は、図７（Ｄ）に示すように、隣り合う２つの器具本体１を一方の器具本体１の長手方向における端面と他方の器具本体１の長手方向における側面とを対向させて配置した場合における各々の嵌合孔１５の位置及び形状に対応して、長方形状に形成された治具本体４２において、長辺側の一方端を略コの字状に延出して形成された２つの係止部４３と、長辺側の他方端の短辺をＬ字状に延出して形成された１つの係止部４４を有する。
【００６２】
本発明のＬＥＤ照明装置１００においては、図７に示す、これらの直列接続とコーナー接続との２つの形態を組み合わせることにより、ＬＥＤ照明装置１００による照明システムを構成することが、可能となっている。この場合、照明器具１０の器具本体１に形成される嵌合孔１５は、図７に示すように、単に器具本体１の配列を変えるだけで、１つの形態で、どちらの連結パターンにも対応することができる。
【００６３】
（４．連結）
これらの連結治具４を用いて、複数の照明装置１００を連結させるためには、第１の形態である直列接続パターンの場合は、図７（Ａ）〜（Ｃ）に示すように、相互に連結する器具本体１を天井面８等への連結面を上に並べて、連結する器具本体１の両端に設けられている全ての嵌合孔１５へ連結治具４の係止部４３を上面から挿入することにより、一体化する。
【００６４】
一方、第２の形態であるコーナー接続パターンの場合は、図７（Ｄ）に示すように、連結する器具本体１を天井面８等への連結面を上に並べて、接続する器具本体１の両端に設けられている嵌合孔１５へ連結治具４の係止部４３と係止部４４を上面から挿入することにより、一体化する。この場合、短辺側に形成された係止部４４は、図６（Ｄ）に示すように、他方の器具本体１から見て遠い位置にある奥側の嵌合孔１５に挿入される。
【００６５】
連結されたＬＥＤ照明装置１００として光を均一に照射するためには、一体化された器具本体１の間隔を、等間隔にすることが求められている。また、器具本体１と透光性カバー２１の光出射に係わる温度による伸縮が大きく異なるので、温度による伸縮を考慮すると１ｍｍ単位の位置決め精度が求められることになる。そのために、連結する器具本体１の間隔を１ｍｍ間隔とする必要であり、連結する器具本体１の位置決めが難しくなっている。この場合、本発明に使用される連結治具４を使用することにより、連結する器具本体１の間隔について正確に位置決めを行うことができる。ＬＥＤ照明装置１００の配置に対応して、第１の形態と第２の形態を組み合わせることにより、多彩な配置に対応することが可能となっている。
【００６６】
（５．スライド）
なお、ＬＥＤ照明装置１００は、天井面８に対してスライド（移動）させることができる機能を付加することができる。器具本体１に設けられている２つの取付け孔１４を、長穴にすることにより、吊りボルト６との位置関係を調整することができる。それにより、例えば部屋の間仕切りを変更する場合に、ＬＥＤ照明装置１００を、間仕切りの妨げにならない位置に移動させることが可能となる。さらに、間仕切り終了後にもとの部屋に戻すことも簡単にでき、多様に使用することが可能となる。
【００６７】
また、新たに吊りボルト６を設けた取付板を天井面８に固定し、取付板の吊りボルト６を用いて同様であるスライドの構造とすることも可能である。そのとき、取付板の長手方向寸法を短くすれば、スライドさせた時に、取付板がＬＥＤ照明装置１００の範囲を外れて見えることをなくすことができる。
【００６８】
（６．天井面等の被取付面への設置）
本発明のＬＥＤ照明装置１００は、以下のように被取付面である天井面８や壁等に取り付けることができる。即ち、まず、天井面８からＬＥＤ照明装置１００の配置に合わせて、吊りボルト６が設けられており、器具本体１の電源用孔１３に合わせて、天井面８に直径１５ｍｍの孔をあけて、該孔から外部電源線５を引き出す。
【００６９】
次に、設置するＬＥＤ照明装置１００の器具本体１を、上述したように、連結治具４を用いて連結する。器具本体１は、連結した器具本体１の取付け孔１４を、天井面８からの吊りボルト６に合わせて、天井面８に位置決めして、吊りボルト６をナット７により止めることで仮止めされる。
【００７０】
更に、外部電源線５を器具本体１の電源用孔１３から引き出し、外部電源線５の２本の芯線を、送り端子付速結端子部１１に挿着する。送り端子付速結端子１１から、隣接する器具本体１の送り端子付速結端子１１に器具本体１の端部の送り孔１６を用いて配線する。これにより、天井面８から引き出す外部電源線５の配線を少なくすることが可能となる。仮止めされていた器具本体１は、吊りボルト６のナット７を本締めして、天井面８等に固定する。
【００７１】
最後に、取付けられた器具本体１から発光ユニット２へ配線すると共に、発光ユニット２を器具本体１の長辺開口部端面１ａと、発光ユニット２におけるＶ字バネ固定部品３１の外側面３１ａを接しさせると共に、位置調整部品３５が、器具本体１の短辺開口部端面１ｂと接することにより、発光ユニット２との位置決めを行いながらＶ字バネ３０により固定して、ＬＥＤ照明装置１００による照明システムが完成する。これにより器具本体１と発光ユニット２の長さ方向が、正確に位置決めすることができ、均一に光を照射することができる。
【００７２】
（７．バネの他の実施の形態）
発光ユニット２は、図２乃至図５に示す実施の形態においては、Ｖ字バネ３０を使用して、器具本体１に取り付けたが、バネの形態は必ずしも、このＶ字バネ３０に限定されるものではなく、他の実施の形態とすることもできる。具体的には、例えば、図８及び図９に示すように、コの字バネ３２を使用することができる。このコの字バネ３２は、図８及び図９に示すように、発光ユニット２の幅方向における中央部における２カ所に設けられている。従って、発光ユニット２の位置決めが容易であると共に、発光ユニット２の長手方向における両端にバネ等を設ける場合（２カ所の両端に設けて計４カ所に設ける場合）に比べて、コの字バネ３２の装着箇所、ひいては、作業工程数を減少させることができ、装着作業をより一層簡易にすることができる。
【００７３】
このコの字バネ３２は、図８及び図９に示すように、放熱板２３の２ヵ所に第２の溝部２３ｅに第２のネジ２９ｂで固定されたコの字バネ固定部品３３に取り付けられて配設されている。このコの字バネ３２に対応するように器具本体１側に配設されている２個のコの字バネ受け３４に、コの字バネ３２を挿入して固定される。
【００７４】
このコの字バネ３２は、図８及び図９に示すように、放熱板２３に相対向して配置された複数のコイルバネ部３２ｂと、このコイルバネ部３２ｂから延出してフレーム状に成形されたフレーム部３２ａとから成っている。従って、Ｖ字バネ３０と異なり、２本の指で両端のバネ間の間隔を狭める等の作業をすることなく、コの字バネ受け３４に装着することができる。
【００７５】
この場合、図８及び図９に示すように、このフレーム部３２ａの一部に屈曲部３２ｄを設けることが望ましい。これにより、フレーム部３２ａは、自由状態において設置面からその一部が盛り上がるようにして配置されるため、作業のための指等をこの盛り上がったスペース内に挿入してフレーム３２ａを持ち上げ易くなり、装着作業がより一層簡易となる。
【００７６】
また、このコの字バネ３２は、図８及び図９に示すように、そのフレーム部３２ａが、コイルバネ部３２ｂが設置されている面（図示の実施の形態では、放熱板２３）に向けて付勢されている。従って、屈曲部３２ｄに指を挿入して、この付勢力に抗して、フレーム部３２ａを持ち上げて、器具本体１に設けられたコの字バネ受け３４に挿入した後、その弾性変形を解除することにより、コの字バネ３２はコの字バネ受け３４を引き寄せることができ、これにより、コの字バネ３２を備えた発光ユニット２を器具本体１に装着することができる。
【００７７】
更に、このコの字バネ３２は、フレーム部３２ａが、コイルバネ部３２ｂに近づくに連れ幅が狭くなるように設定されている。これにより、コの字バネ３２のフレーム部３２ａを、コの字バネ受け３４に挿入し易くなると共に、安定的に係止することができる。
【００７８】
このコの字バネ３２は、バネ端部３２ｃが、コイルバネ部３２ｂの両端から延設されて、コの字バネ固定部品３３の固定金具３３ｂに係止され、このコの字バネ固定部品３３が、放熱板２３に爪部３３ｃと固定金具３３ｂにより固定されることにより、コの字バネ３２が放熱板２３に取り付けられる。このコの字バネ固定部品３３は、中央部の中心軸部３３ｄから延伸しているバネ保持部３３ａによって、コイルバネ部３２ｂを係止する。
【００７９】
一方、このコの字バネ３２を係止するコの字バネ受け３４は、図８及び図９に示すように、器具本体１に設けられ、長方形を略コの字状に成形したコの字バネ受け３４の両端を固定するために、両端から延伸して固定部３４ａを設けて、器具本体１にネジで固定する。コの字バネ受け３４は、コの字バネ受け３４の側部３４ｃで挟まれている底部３４ｂから内側に曲げた係止部３４ｄを有する。
【００８０】
また、より安全に器具本体１に発光ユニット２を装着するために、器具本体１側のコの字バネ受け３４に紐の一方端を固定して、他方端にフックを固定した落下防止用の紐を設ける。装着するときに、他方端のフックをコの字バネ固定部品３３に掛止することにより、発光ユニット２を仮固定することができるので、さらに安全に装着することができる。
【００８１】
なお、図示の実施の形態では、図８に示すように、器具本体１にコの字バネ受け３４を、放熱板２３にコの字バネ３２及びコの字バネ固定部品３３を設置したが、必ずしも、この形態に限定されるものではなく、器具本体１にコの字バネ３２及びコの字バネ固定部品３３を、放熱板２３にコの字バネ受け３４を設置することもできる。後者の場合には、コの字バネ３２をその付勢力に抗して変形させながら同時にコの字バネ３２を把持して発光ユニット２ごと引き上げる必要がなく、面倒な力作業を要することなく、簡易に発光ユニット２３を器具本体１に装着することができるメリットがある。
【００８２】
（８．その他）
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なしえるであろう各種変形、修正もまた本発明に含まれる。
【産業上の利用可能性】
【００８３】
本発明は、ショールームやホール、更に、会議室や事務所等の各居室や廊下、玄関等の天井面や壁面等に沿って設置されるＬＥＤ照明装置として、広く適用することができる。
【符号の説明】
【００８４】
１：器具本体
１ａ：長辺開口部端面
１ｂ：短辺開口部端面
１１：送り端子付速結端子
１２：バネ受け
１３：電源用孔
１４：取付け孔
１５：嵌合孔
１６：送り孔
２：発光ユニット
２１：透光性カバー
２２：端部透光性カバー
２３：放熱板
２３ａ：基板部
２３ｂ：電源台
２３ｃ：カバー挿入部
２３ｄ：第１の溝部
２３ｅ：第２の溝部
２４：ＬＥＤ基板
２４ａ：第１のＬＥＤ基板単体
２４ｂ：第２のＬＥＤ基板単体
２４ｃ：第１のＬＥＤ基板の凹部
２４ｄ：第２のＬＥＤ基板の凹部
２６：ＬＥＤ素子
２８：電源回路
２９：ネジ
２９ａ：第１のネジ
２９ｂ：第２のネジ
３０：Ｖ字バネ
３１：Ｖ字バネ固定部品
３１ａ：外側面
３２：コの字バネ
３２ａ：フレーム部
３２ｂ：コイルバネ部
３２ｃ：バネ端部
３２ｄ：屈曲部
３３：コの字バネ固定部品
３３ａ：バネ保持部
３３ｂ：固定金具
３３ｃ：爪部
３３ｄ：中心軸部
３４：コの字バネ受け
３４ａ：固定部
３４ｂ：底部
３４ｃ：側部
３４ｄ：係止部 
３５：位置調整部品
４：連結治具
４１：治具本体
４２：治具本体
４３：係止部
４４：係止部
５： 外部電源線
６：吊りボルト
７：ナット
８：天井面
１０：照明器具
１００：ＬＥＤ照明装置
【要約】
【課題】  少ない工程数及び簡易な作業で、適切に位置決めしつつ、円滑にかつ的確に発光ユニットを器具本体に装着することができると同時に、発光ユニットの交換やメンテナンスを簡易に行うことができる。
【解決手段】  ＬＥＤ照明装置１００は、被取付面に取り付けられる器具本体１と、この器具本体１に装着される発光ユニット２とを備えている。発光ユニット２は、ＬＥＤ素子が実装されたＬＥＤ基板と、これらのＬＥＤ素子を点灯させる電源回路とを配設した放熱板と、この放熱板を覆う透光性カバー２１を有する。発光ユニット２は、器具本体１に着脱自在に取り付けられている。放熱板は、位置調整部品を有し、発光ユニット２は、この位置調整部品により位置決めされながら器具本体１に装着されている。
【選択図】  図４【図１】
0005507746.tif 000002
【図２】
0005507746.tif 000003
【図３】
0005507746.tif 000004
【図４】
0005507746.tif 000005
【図５】
0005507746.tif 000006
【図６】
0005507746.tif 000007
【図７】
0005507746.tif 000008
【図８】
0005507746.tif 000009
【図９】
0005507746.tif 000010